(57)【特許請求の範囲】
【請求項１】
被写体像を画像信号に光電変換する撮像素子と、
前記画像信号を変換して前記被写体像を表現する画像データである撮影画像を出力する撮像手段と、
画像を表示する画像表示手段と、
前記撮影画像に基づいて作成される画像データであって、前記画像表示手段で表示させ得る画像の画素数に基づいて定められる画素数で構成される画像を表現する該画像データである簡易画像を第一の記録媒体に記録させる簡易画像記録手段と、
前記第一の記録媒体に記録されている簡易画像を複写して第二の記録媒体に記録させる複写手段と、
を有する電子カメラであって、
前記第一の記録媒体は前記電子カメラに内蔵されており、
前記第二の記録媒体は前記電子カメラに対して着脱可能である、
ことを特徴とする電子カメラ。
【請求項２】
前記複写手段は、前記第一の記録媒体に記録されている全ての簡易画像を一括して複写して前記第二の記録媒体に記録させることを特徴とする請求項１に記載の電子カメラ。
【請求項３】
前記複写手段は、前記電子カメラへの電力の供給を開始される指示が検出されたとき、若しくは前記第二の記録媒体が装着されたときに、該第二の記録媒体に記録されている簡易画像を複写して前記第一の記録媒体に記録させる、
ことを特徴とする請求項１に記載の電子カメラ。
【請求項４】
前記簡易画像記録手段は、前記簡易画像に対して縦横変換処理を行って前記第一の記録媒体に記録させることを特徴とする請求項１に記載の電子カメラ。
【請求項５】
被写体像を画像信号に光電変換する撮像素子と、
前記画像信号を変換して前記被写体像を表現する画像データである撮影画像を出力する撮像手段と、
画像を表示する画像表示手段と、
他の機器から送られてくる画像データであって、前記画像表示手段で表示させ得る画像の画素数に基づいて定められる画素数で構成される画像を表現する該画像データである簡易画像を記録媒体に記録させる簡易画像記録手段と、
を有する電子カメラであって、
前記記録媒体に記録された簡易画像を前記電子カメラの外部へ出力する出力手段を更に有する、
ことを特徴とする電子カメラ。
【請求項６】
前記記録媒体は前記電子カメラに内蔵されていることを特徴とする請求項５に記載の電子カメラ。
【請求項７】
前記記録媒体は前記電子カメラに対して着脱可能であることを特徴とする請求項５に記載の電子カメラ。
【請求項８】
被写体像を画像信号に光電変換する撮像素子と、
前記画像信号を変換して前記被写体像を表現する画像データである撮影画像を出力する撮像手段と、
画像を外部の表示手段へ出力する出力手段と、
前記撮影画像に基づいて作成される画像データであって、外部の表示手段で表示させ得る画像の画素数に基づいて定められる画素数で構成される画像を表現する該画像データである簡易画像を、電子カメラに内蔵の記録媒体に記録させる簡易画像記録手段と、
前記電子カメラに内蔵の記録媒体に記録されている簡易画像を複写して該電子カメラに着脱可能な記録媒体に記録させる複写手段と、
を有することを特徴とする電子カメラ。
【発明の詳細な説明】
【０００１】
【発明の属する技術分野】
本発明は、電子カメラで用いられる技術に関し、特に、画像データの記録・管理の技術に関する。
【０００２】
【従来の技術】
近年広く普及しているデジタルカメラは、撮影の道具であるのみならず、画像の再生機能を兼ね備えているものが多く、銀塩カメラにはない大きな特徴のひとつである。この再生機能は、一般的に、データ圧縮が施されている撮影画像をカメラに装着されるメモリカード等の記録媒体から読み出し、読み出された撮影画像に対してデータ伸張等の処理を行なって得られた表示用の画像をカメラに備えられている液晶ディスプレイ等に表示させるというものである。
【０００３】
【発明が解決しようとする課題】
デジタルカメラで画像を再生する場合を考える。このような場合には、記録媒体の着脱を繰り返しながら再生を行なう、あるいは再生を所望する画像を複数の記録媒体の各々から抽出してひとつの記録媒体にまとめる編集処理を行なう、などの方法が考えられるが、いずれの方法も煩わしい作業をユーザに強いることとなってしまう。
【０００４】
また、撮影画像はメモリカードに記録されるので、メモリカードの空き記録容量がなくなってしまうとそれ以上の撮影はできなくなってしまう。そのため、メモリカードを使い切ったその後に到来したシャッターチャンスを逃してしまうことがある。
【０００５】
以上の問題を鑑み、電子カメラにおいて便利な画像データの管理手法を提供することが本発明が解決しようとする課題である。
【０００６】
【課題を解決するための手段】
本発明の第一の態様である電子カメラは、被写体像を画像信号に光電変換する撮像素子と、前記画像信号を変換して前記被写体像を表現する画像データである撮影画像を出力する撮像手段と、画像を表示する画像表示手段と、前記撮影画像に基づいて作成される画像データであって、前記画像表示手段で表示させ得る画像の画素数に基づいて定められる画素数で構成される画像を表現する該画像データである簡易画像を第一の記録媒体に記録させる簡易画像記録手段と、前記第一の記録媒体に記録されている簡易画像を複写して第二の記録媒体に記録させる複写手段と、を有する電子カメラであって、前記第一の記録媒体は前記電子カメラに内蔵されており、前記第二の記録媒体は前記電子カメラに対して着脱可能である、ことを特徴とするものである。
【０００８】
なお、上述した本発明の第一の態様である電子カメラにおいて、前記複写手段は、前記第一の記録媒体に記録されている全ての簡易画像を一括して複写して前記第二の記録媒体に記録させるように構成することもできる。
【０００９】
また、前述した本発明の第一の態様である電子カメラにおいて、前記複写手段は、前記電子カメラへの電力の供給を開始される指示が検出されたとき、若しくは前記第二の記録媒体が装着されたときに、該第二の記録媒体に記録されている簡易画像を複写して前記第一の記録媒体に記録させるように構成することもできる。
【００１０】
また、前述した本発明の第一の態様である電子カメラにおいて、前記簡易画像記録手段は、前記簡易画像に対して縦横変換処理を行って前記第一の記録媒体に記録させるように構成することもできる。
【００１１】
本発明の第二の態様である電子カメラは、被写体像を画像信号に光電変換する撮像素子と、前記画像信号を変換して前記被写体像を表現する画像データである撮影画像を出力する撮像手段と、画像を表示する画像表示手段と、他の機器から送られてくる画像データであって、前記画像表示手段で表示させ得る画像の画素数に基づいて定められる画素数で構成される画像を表現する該画像データである簡易画像を記録媒体に記録させる簡易画像記録手段と、を有する電子カメラであって、前記記録媒体に記録された簡易画像を前記電子カメラの外部へ出力する出力手段を更に有する、ことを特徴とするものである。
【００１２】
なお、上述した本発明の第二の態様である電子カメラにおいて、前記記録媒体は前記電子カメラに内蔵されているように構成することもできる。
【００１３】
また、前述した本発明の第二の態様である電子カメラにおいて、前記記録媒体は前記電子カメラに対して着脱可能であるように構成することもできる。
【００１４】
本発明の第三の態様である電子カメラは、被写体像を画像信号に光電変換する撮像素子と、前記画像信号を変換して前記被写体像を表現する画像データである撮影画像を出力する撮像手段と、画像を外部の表示手段へ出力する出力手段と、前記撮影画像に基づいて作成される画像データであって、外部の表示手段で表示させ得る画像の画素数に基づいて定められる画素数で構成される画像を表現する該画像データである簡易画像を、電子カメラに内蔵の記録媒体に記録させる簡易画像記録手段と、前記電子カメラに内蔵の記録媒体に記録されている簡易画像を複写して該電子カメラに着脱可能な記録媒体に記録させる複写手段と、を有することを特徴とするものである。
【００１５】
【発明の実施の形態】
以下、本発明の実施の形態を図面に基づいて説明する。
図１は本発明を実施する電子カメラの構成を示す図である。同図において、Ａ／Ｄ４、ＤＲＡＭ５、画像処理部６、着脱記録媒体７、ビデオドライバ８、ＵＳＢＩ／Ｆ１０、ＬＣＤドライバ１２、フラッシュメモリ１４、及びＣＰＵ１５はいずれもバス１８に接続されており、相互にデータの授受を行なうことができる。
【００１６】
撮影レンズ部１は、被写体像を撮像素子２上に結像させるレンズを有している。
撮像素子２は例えばＣＣＤ（Charge Coupled Device ）であり、撮像レンズ部１の作用により撮像素子２上に結像している被写体像を光電変換して画像を表現している電気信号を出力する。
【００１７】
撮像処理部３は、撮像素子２の駆動制御を行なうと共に、撮像素子２から出力される電気信号に対し、ノイズ成分を低減させるＣＤＳ（Correlated Double Sampling）や、信号レベルを安定化させるＡＧＣ（Automatic Gain Control）などの処理を施す。
【００１８】
Ａ／Ｄ４は撮像素子２上に結像している被写体像を表現しているアナログ信号である電気信号をデジタルデータである画像データに変換するＡ／Ｄ（アナログ／デジタル）変換処理を行なう。
【００１９】
ＤＲＡＭ（Dynamic Random Access Memory）５は、Ａ／Ｄ４から出力される画像データや画像処理部６による各種画像処理における処理中の画像データなどの一時保存用として、あるいはＣＰＵ１５による制御処理の実行のためのワークエリアとして、等の用途で使用されるメモリである。
【００２０】
画像処理部６は、画像の記録の際に行なうガンマ補正やホワイトバランス補正等の補正処理、画像データの記録・再生のためのＪＰＥＧ（Joint Photographic Experts Group）方式等による画像データ圧縮・伸張処理、及び画像を構成する画素数を増減させる画像の拡大・縮小処理、画像の一部分をＬＣＤディスプレイ１３等で表示させるための部分画像の切り出し処理などといった各種の画像処理を行なう。
【００２１】
着脱記録媒体７はこの電子カメラに着脱可能な記録媒体であってこの電子カメラで撮影された画像を表現している画像データ（以下、この画像データを特に「基本画像」と称することとする）を記録して保存する。本実施例では、着脱記録媒体７としていわゆるＩＣメモリカードを使用しており、不図示のカードＩ／Ｆを介してバス１８に接続される。また、この着脱記録媒体７に、後述する簡易画像を記録するようにしてもよい。
【００２２】
ビデオドライバ８は画像データをビデオ信号に変換する。ビデオドライバ８から出力されたビデオ信号はビデオアウト端子９から出力され、出力されたビデオ信号を家庭用のテレビジョンに入力することによって、この電子カメラで撮影した画像を表示させることができる。
【００２３】
ＵＳＢＩ／Ｆ１０はＵＳＢ（Universal Serial Bus）規格に則ったインタフェースを提供するものであり、ＵＳＢ端子１１に接続されたパーソナルコンピュータ２０や他のデジタルカメラ３０等の外部機器とこの電子カメラとの間での各種のデータの授受を可能とする。
【００２４】
ＬＣＤ（Liquid Crystal Display）ドライバ１２は、ＬＣＤディスプレイ１３を駆動し、画像データで表現されている画像をＬＣＤディスプレイ１３に表示させる。
【００２５】
ＬＣＤディスプレイ１３は画像を表示する表示装置である。
フラッシュメモリ１４は電気的に書き換え動作を行なわせることも可能なリード・ライト・メモリであり、ＣＰＵ１５により実行される動作プログラム１４−１が予め格納されていることに加え、画像データを記録する記録領域である画像記録部１４−２が確保されている。
【００２６】
この画像記録部１４−２には、基本画像に対応する画像データであって画像表示のために使用される該画像データ（以下、この画像データを特に「簡易画像」と称することとする）を記録するための記録領域である簡易画像記録部１４−２１が確保され、また、例えば着脱記録媒体７がこの電子カメラに装着されていない、あるいは着脱記録媒体７に新たな基本画像を記録することのできるだけの空き記録領域が残されていない等の場合に、着脱記録媒体７の代わりに基本画像を数枚記録させることのできる記録領域である補助記録部１４−２２とが確保される。この簡易画像記録部１４−２１と補助記録部１４−２２とには、この電子カメラが初期化されたときに画像記録部１４−２の有する記録領域が所定の割合で配分されるが、この割合は後述する記録領域変更モード処理をＣＰＵ１５が行なうことによって変更され得る。
【００２７】
なお、簡易画像の画像サイズとして、例えばＬＣＤディスプレイの表示可能な画像サイズ（例えばＱＶＧＡ相当の３２０×２４０の画素数）を設定することができるが、あるいはビデオアウト端子９から出力されるビデオ信号において用いられる画像サイズ（例えばＶＧＡ相当の６４０×４８０の画素数）を設定してもよい。
【００２８】
ＣＰＵ１５は中央演算処理部であり、フラッシュメモリ１４に予め格納されている動作プログラム１４−１を実行することでこの電子カメラ全体の動作を制御する。なお、ＣＰＵ１５は現在の日時を計時する計時機能を実現するためのクロック部１５−１を備えており、この電子カメラで撮影を行なったときには、その撮影の日付及び時刻が、撮影時におけるカメラの設定状況等が示される撮影情報の一部として基本画像の所定領域、例えばヘッダ情報領域に併せて記録される。
【００２９】
入力指示部１６は、各種の動作・設定指示を行なうために操作される各種設定スイッチや、撮影動作の実行を指示するためのレリーススイッチなどの総称であり、ＣＰＵ１５によってこれらのスイッチの操作が検出される。
【００３０】
撮影向き検出センサ１７は、この電子カメラで撮影を行なったときのカメラの向き、すなわち、カメラが、例えば正位、右横構え、左横構え、逆さ構えのうちのどのように構えられて撮影されたかを撮影時に検出するセンサであり、例えば、管中に封入された水銀が傾斜に応じて移動して電極に接触すると電極間が導通する水銀スイッチを利用して構成される。なお、撮影向き検出センサ１７による検出結果、すなわち撮影時におけるカメラの向きも、前述した撮影日時と共に、撮影情報の一部として基本画像の所定領域に併せて記録される。なお、この電子カメラを使用して撮影を行なうユーザが入力指示部１６を操作して撮影時におけるカメラの向きを入力するように構成してもよい。
【００３１】
図１に示す電子カメラは以上のように構成されている。
次に、上述した構成を有する電子カメラにおけるＣＰＵ１５によって行なわれる電子カメラの制御処理のうち、基本画像及び簡易画像の作成・記録に関する処理について説明する。なお、この電子カメラの制御処理は、ＣＰＵ１５がフラッシュメモリ１４に格納されている動作プログラム１４−１を読み込んで実行することによって実現される。
【００３２】
［１コマ再生モード処理］
まず図２について説明する。同図は１コマ再生モード処理の処理内容を示す図である。
【００３３】
１コマ再生モードとは、着脱記録媒体７に既に記録されている基本画像をＬＣＤディスプレイ１３若しくはビデオアウト端子９に接続されたテレビジョンで再生表示させる動作をこの電子カメラに行なわせるための動作モードである。１コマ再生モード処理をＣＰＵ１５が行なうことによって、電子カメラにこの再生動作を行なわせることに加え、この電子カメラのユーザからの指示に応じ、簡易画像を基本画像から作成させ、作成された簡易画像をフラッシュメモリ１４の画像記録部１４−２に記録させる動作も行なわせる。
【００３４】
図２（ａ）は１コマ再生モード処理の処理内容を示すフローチャートである。このフローチャートで示されている処理は、入力指示部１６の各種設定スイッチが操作されて１コマ再生モードの動作指示のなされたことがＣＰＵ１５によって検出されると開始される。
【００３５】
まず、Ｓ１０１において、着脱記録媒体７に既に記録されている、データ圧縮されている基本画像のうち、入力指示部１６の各種設定スイッチの操作に応じて現在指定されている基本画像（この指定された基本画像を「指定画像」と称することとする）が読み出される。なお、ここでは、基本画像のサイズが画素数で１６００×１２００であったとする。
【００３６】
Ｓ１０２では、前ステップの処理によって読み出されたデータ圧縮されている指定画像の伸張処理を画像処理部６に行なわせ、伸張後の指定画像をＤＲＡＭ５に記憶させる。
【００３７】
Ｓ１０３では、前ステップの処理によってＤＲＡＭ５に記憶されている指定画像が読み出され、その指定画像がＬＣＤディスプレイ１３で表示できるようにするために指定画像のサイズを変更する表示処理を画像処理部６に行なわせる。なお、ここでは、ＬＣＤディスプレイ１３の表示サイズが画素数で４００×３００であったとする。
【００３８】
Ｓ１０４では、前ステップの処理が施された指定画像がＬＣＤドライバ１２へ送られ、その指定画像で表現される画像をＬＣＤディスプレイ１３に表示させる。なお、このとき、指定画像はビデオドライバ８へも送られ、指定画像に対応するビデオ信号がビデオアウト端子９から出力される。
【００３９】
ここで、Ｓ１０５において、入力指示部１６の各種設定スイッチに対する操作によって、現在表示されているものとは異なる他の基本画像を表示する指示がなされたか否かが判定され、この判定結果がＹｅｓならばＳ１０１へ処理が戻って上述した処理が繰り返される。一方、この判定結果がＮｏならばＳ１０６に処理が進む。
【００４０】
Ｓ１０６では、入力指示部１６の各種設定スイッチに対する操作によって、基本画像から簡易画像を作成して記録する指示がなされたか否かが判定され、この判定結果がＹｅｓならばＳ１０７に処理が進み、ＮｏならばＳ１０５へ処理が戻って上述した処理が繰り返される。
【００４１】
Ｓ１０７では、新たに簡易画像を記録する空き記録領域がフラッシュメモリ１４の画像記録部１４−２に残されているか否かが判定され、判定結果がＹｅｓならばＳ１０９に処理が進み、ＮｏならばＳ１０８に処理が進む。
【００４２】
Ｓ１０８では、新たに簡易画像を記録する空き記録領域が残されていない旨を示す警告出力が行なわれ、その後はＳ１０５へ処理が戻って上述した処理が繰り返される。なお、この警告出力としては、例えばその旨を示す表示をＬＣＤディスプレイ１３に行なわせる、あるいは不図示の発音部を動作させて警告音を発生させる、などの手法がある。
【００４３】
Ｓ１０９では、入力指示部１６の各種設定スイッチに対する操作によって、簡易画像の一括記録を行なう旨の指示がなされているか否かが判定され、この判定結果がＹｅｓならばＳ１１０に処理が進み、ＮｏならばＳ１１２に処理が進む。
【００４４】
なお、簡易画像の一括記録とは、着脱記録媒体７に既に記録されている基本画像の全てについて各々対応する簡易画像を一括して作成し記録する簡易画像の記録方式をいう。一方、この簡易画像の一括記録を行なう旨の指示がなされていないときには、ＬＣＤディスプレイ１３に現在表示されている画像に対応する簡易画像の作成・記録が行なわれる。
【００４５】
Ｓ１１０では、着脱記録媒体７に既に記録されている基本画像のうちの１つが読み出され、続くＳ１１１において、前ステップの処理によって読み出されたデータ圧縮されている基本画像の伸張処理を画像処理部６に行なわせ、伸張後の基本画像をＤＲＡＭ５に記憶させる。
【００４６】
Ｓ１１２では、ＤＲＡＭ５に記憶されている伸張後の基本画像（簡易画像の一括記録動作を行なっていないときにはＤＲＡＭ５に記憶されている伸張後の指定画像）が読み出されてそこに含まれている撮影情報が参照され、その基本画像の撮影時におけるこの電子カメラの向きが横向きであったか否か、すなわち右横構え若しくは左横構えのカメラの向きによって基本画像の撮影が行なわれたか否かが判定される。そして、カメラが横向きで撮影された基本画像であるならばこの判定結果がＹｅｓとなりＳ１１４及びＳ１１５の処理が施され、一方、そうでない基本画像については判定結果がＮｏとなりＳ１１３の処理が施される。
【００４７】
なお、このＳ１１２の処理において、この電子カメラのユーザがＬＣＤディスプレイ１３を参照し、現在表示中の画像が横向きであるとユーザが判断したとき、すなわち、表示中の基本画像はカメラが横向きの状態で撮影されたとユーザが判断したときにはその旨をこの電子カメラに指示する操作を入力指示部１６へ与え、ＣＰＵ１５がこの指示内容に基づいてＳ１１２の判断処理を行なうようにしてもよい。
【００４８】
Ｓ１１３では、基本画像のサイズをＬＣＤディスプレイ１３の表示サイズへとリサイズする処理が行なわれ、その後は処理がＳ１１６に進む。このリサイズ処理によって得られた画像がこの基本画像に対応する簡易画像となる。
【００４９】
Ｓ１１４では、カメラが横向きで撮影された基本画像に対してリサイズ処理が施され、続くＳ１１５において縦横変換処理が施される。
このＳ１１４及びＳ１１５の処理について更に説明する。
【００５０】
この電子カメラを横向きに構えて撮影を行なって得られている基本画像のサイズは画素数で１６００×１２００である縦長の画像である。そこで、この場合には、Ｓ１１４において、基本画像の長辺の長さがＬＣＤディスプレイ１３の表示サイズのうち、短辺の画素数と一致する値、すなわち３００となるような基本画像のサイズのリサイズ処理を画像処理部６に行なわせる。このリサイズ処理が施された結果の画像の例が図２（ｂ）の（１）に示されている。このように、このリサイズ処理が施された結果の画像は画素数で３００×２２５のサイズとなる。
【００５１】
次に、Ｓ１１５において縦横変換処理が行なわれる。この縦横変換処理は、前ステップのリサイズ処理が施された画像を９０度回転させる処理である。なお、このときの回転の方向は、基本画像に含まれている撮影情報に示されている撮影時のカメラの向きが右横構えであるか左横構えであるかに基づいて決定される。
【００５２】
図２（ｂ）の（１）に示されているリサイズされた基本画像に対して縦横変換処理が施された結果の例が図２（ｂ）の（２）に示されている。ここで、縦横変換が施された後の画像のサイズは４００×３００とし、回転させた画像はその中央部に配置するようにする。なお、このとき、画像が存在しない左右両端の帯部分（図２（ｂ）の（２）の部分）はどのように処置してもよいが、ここでは黒色等の単色で塗りつぶしておくこととする。
【００５３】
以上のＳ１１４及びＳ１１５の処理によって得られた画像が、この電子カメラを横向きに構えて撮影を行なって得られた基本画像に対応する簡易画像となる。
図２（ａ）のフローチャートの説明へ戻る。
【００５４】
Ｓ１１６では、上述したＳ１１３、若しくはＳ１１４及びＳ１１５の処理によって作成された簡易画像に対する画像データ圧縮処理を画像処理部６に行なわせる。この簡易画像に対する画像データ圧縮処理では、データ圧縮率として例えば１／１０が設定される。
【００５５】
Ｓ１１７では、データ圧縮が施された簡易画像をフラッシュメモリ１４の画像記録部１４−２に記録させる。
なお、ここで、記録する簡易画像にはその簡易画像に対応する基本画像との対応関係を示しておく必要があるが、この簡易画像の記録処理において簡易画像と基本画像との対応関係を明らかにするための手法については後で更に詳しく説明する。
【００５６】
Ｓ１１８では、現在は簡易画像の一括記録を行なっているのか否かが判定され、この判定結果がＹｅｓならばＳ１１９に処理が進み、ＮｏならばＳ１０５へ処理が戻って上述した処理が繰り返される。
【００５７】
Ｓ１１９では、着脱記録媒体７に既に記録されている基本画像の各々に対応する簡易画像の作成・記録を全て終えたか否かが判定され、この判定結果がＹｅｓならば簡易画像の一括記録が完了したとみなし、Ｓ１０５へ処理が戻って１コマ再生モードのための処理が繰り返される。一方、Ｓ１１９の判定結果がＮｏならばＳ１１０へ処理が戻り、簡易画像の作成・記録が未だ行なわれていない基本画像について簡易画像を作成し記録する処理が繰り返される。
【００５８】
以上までの処理が１コマ再生モード処理であり、この処理をＣＰＵ１５が行なうことによって、基本画像に対応する簡易画像が作成されて記録される。
なお、この１コマ再生モード処理は、入力指示部１６の各種設定スイッチが操作され、１コマ再生モード以外の動作モードの動作指示のなされたこと、あるいはこの電子カメラの電源をオフとする指示のなされたことがＣＰＵ１５によって検出されると直ちに終了する。
【００５９】
次に、上述した１コマ再生モード処理におけるＳ１１７の処理である、簡易画像の記録処理において、簡易画像と基本画像との対応関係を示す手法について説明する。
【００６０】
なお、ここでは、基本画像がＭＳ−ＤＯＳ（ＭＳ−ＤＯＳはマイクロソフト  コーポレイションの登録商標）のファイル管理システム及びＤＣＦ（Design rule for Camera File system）の画像データフォーマットに準拠してメモリカード７若しくはフラッシュメモリ１４の画像記録部１４−２に記録されているものとし、基本画像は「￥ＤＣＩＭ￥１００ＯＬＹＭＰ」なるディレクトリに格納されるものとする。また、このディレクトリには「Ｐ７１７０００１．ＪＰＧ」なる基本画像が格納されているものとする。
【００６１】
このとき、簡易画像と基本画像「Ｐ７１７０００１．ＪＰＧ」との対応関係を示すには例えば以下の手法がある。
▲１▼  簡易画像に対してＭＳ−ＤＯＳ及びＤＣＦを適用せず、簡易画像の記録領域を論理的にコマ単位に分割して各領域に番号（コマ番号）を付して簡易画像を記録する。このとき、この簡易画像に対応する基本画像を特定することのできる付帯情報を簡易画像に付して記録を行なう。なお、付帯情報としては、例えば対応する基本画像のファイル名を示す情報でよく、また、簡易画像の記録領域の一部にコマ番号と基本画像のファイル名との対応関係を示すテーブルデータを記録するようにしてもよい。
【００６２】
▲２▼  簡易画像に対してもＭＳ−ＤＯＳ及びＤＣＦを適用し、簡易画像のファイル名を基本画像のファイル名に一致させる。但し、簡易画像は基本画像を格納するディレクトリとは異なるディレクトリに格納する。
【００６３】
上述した例で説明すれば、基本画像「Ｐ７１７０００１．ＪＰＧ」に対応する簡易画像は、そのファイル名を「Ｐ７１７０００１．ＪＰＧ」とし、基本画像とは異なるディレクトリ、例えば「￥ＤＣＩＭ￥９９９ＯＬＹＭＰ」なるディレクトリに格納する。
【００６４】
▲３▼  簡易画像に対してもＭＳ−ＤＯＳ及びＤＣＦを適用するが、簡易画像のファイル名を基本画像のファイル名とは一致させず、しかも基本画像を格納するディレクトリとは異なるディレクトリに格納する。簡易画像にはこの簡易画像に対応する基本画像のファイル名を示す情報を記録しておく。簡易画像のファイルフォーマットとしてＥｘｉｆを採用するのであれば、この情報はメーカーノート領域を利用して記録するとよい。なお、この方式を採用するときには、基本画像のメーカーノートにもこの基本画像に対応する簡易画像のファイル名を示す情報を記録しておくことが望ましい。
【００６５】
▲４▼  簡易画像のファイル管理としてＭＳ−ＤＯＳを適用するが、簡易画像のファイル名を基本画像のファイル名とは一致させず、しかも基本画像を格納するルートディレクトリとは異なるルートディレクトリ下のディレクトリに格納する。上述した例で説明すれば、「￥ＤＣＩＭ」とは異なるルートディレクトリ、例えば「￥ＭＹＰＣ」なるルートディレクトリ下のディレクトリ「￥ＭＹＰＣ￥９９９ＯＬＹＭＰ」に簡易画像を格納する。このとき、簡易画像に対応する基本画像のファイル名を示す情報を簡易画像のメーカーノート領域等に記録しておく。この方式はＤＣＦに準拠していないが、画像ファイル管理の自由度が増す。なお、この方式を採用するときにも、基本画像のメーカーノートに、この基本画像に対応する簡易画像のファイル名を示す情報を記録しておくことが望ましい。
【００６６】
前述した簡易画像の記録処理においては、これらのうちのいずれかの手法を採用することによって簡易画像と基本画像との対応関係を示しておくことが可能となる。
【００６７】
なお、ファイル名等の基本画像についての情報を簡易画像に記録するときに、基本画像に記録されている、撮影日時等の基本画像についての撮影情報を併せて簡易画像に記録するようにしておくと、簡易画像のみから撮影情報を取得することができるようになり、便利である。
【００６８】
［インデックス再生モード処理］
次に図３について説明する。同図はインデックス再生モード処理の処理内容を示すフローチャートである。
【００６９】
インデックス再生モードとは、着脱記録媒体７に既に記録されている複数の基本画像の縮小画像を縦横に並べてＬＣＤディスプレイ１３若しくはビデオアウト端子９に接続されたテレビジョンで再生表示させる動作をこの電子カメラに行なわせるための動作モードである。インデックス再生モード処理をＣＰＵ１５が行なうことによって、電子カメラにこのインデックス再生動作を行なわせることに加え、この電子カメラのユーザからの指示に応じ、再生表示されているインデックス画像を表現する画像データ（以下、このインデックス画像を表現する画像データを「インデックス簡易画像」と称することとする）を作成させ、作成されたインデックス簡易画像をフラッシュメモリ１４の画像記録部１４−２に記録させる動作も行なわせる。
【００７０】
図３のフローチャートで示されている処理は、入力指示部１６の各種設定スイッチが操作されてインデックス再生モードの動作指示のなされたことがＣＰＵ１５によって検出されると開始される。
【００７１】
まず、Ｓ２０１において、着脱記録媒体７に既に記録されている、データ圧縮されている基本画像が１枚のインデックス画像の作成に必要な枚数だけ読み出される。
【００７２】
Ｓ２０２では、前ステップの処理によって読み出されたデータ圧縮されている各基本画像の伸張処理を画像処理部６に行なわせ、伸張後の各基本画像をＤＲＡＭ５に記憶させる。
【００７３】
Ｓ２０３では、前ステップの処理によってＤＲＡＭ５に記憶されている各基本画像が読み出され、その各基本画像のサイズを縮小し、ＬＣＤディスプレイ１３の表示サイズに相当するサイズである１枚の画像中に縦横に並べる合成処理を画像処理部６に行なわせ、この合成処理によって作成されたインデックス画像をＤＲＡＭ５に記憶させる。そして、続くＳ２０４において、ＤＲＡＭ５に記憶されているインデックス画像が読み出されてＬＣＤドライバ１２へ送られ、そのインデックス画像をＬＣＤディスプレイ１３に表示させる。なお、このとき、インデックス画像はビデオドライバ８へも送られ、インデックス画像に対応するビデオ信号がビデオアウト端子９から出力される。
【００７４】
なお、Ｓ２０３の合成処理において、基本画像にサムネイル画像が含まれているときには、インデックス画像に含ませる基本画像のサイズを縮小する処理を行なう代わりに、基本画像からサムネイル画像を抽出し、抽出されたサムネイル画像を並べてインデックス画像を作成するようにしてもよい。
【００７５】
ここで、Ｓ２０５において、入力指示部１６の各種設定スイッチに対する操作によって、現在表示されているインデックス画像を変更する指示がなされたか否かが判定され、この判定結果がＹｅｓならばＳ２０１へ処理が戻って上述した処理が繰り返され、インデックス画像の変更が行なわれる。一方、この判定結果がＮｏならばＳ２０６に処理が進む。
【００７６】
Ｓ２０６では、入力指示部１６の各種設定スイッチに対する操作によって、インデックス簡易画像を作成して記録する指示がなされたか否かが判定され、この判定結果がＹｅｓならばＳ２０７に処理が進み、ＮｏならばＳ２０５へ処理が戻って上述した処理が繰り返される。
【００７７】
Ｓ２０７では、ＤＲＡＭ５に記憶されているインデックス画像のサイズをリサイズしてインデックス簡易画像を作成する処理が行なわれる。なお、ここで、インデックス簡易画像のサイズをＬＣＤディスプレイ１３の表示サイズと同一とするのであれば、ＤＲＡＭ５に記憶されているインデックス画像のリサイズ処理は不要である。
【００７８】
Ｓ２０８では、以上までの処理によって作成されたインデックス簡易画像に対する画像データ圧縮処理を画像処理部６に行なわせる。このインデックス簡易画像に対する画像データ圧縮処理でも、データ圧縮率として例えば１／１０が設定される。
【００７９】
Ｓ２０９では、データ圧縮が施されたインデックス簡易画像をフラッシュメモリ１４の画像記録部１４−２に記録させ、その後は処理がＳ２０５へ戻って上述した処理が繰り返される。
【００８０】
なお、このＳ２０９におけるインデックス簡易画像の記録処理において、インデックス簡易画像と基本画像との対応関係を併せて記録するが、この手法は、１枚のインデックス簡易画像に複数枚の基本画像についての対応関係を記録する点に留意すれば、前述した１コマ再生モード処理において説明した基本画像と簡易画像との対応関係を記録する手法と同様のものが利用できる。また、インデックス簡易画像に対応する基本画像に各々記録されているその基本画像についての撮影情報をそのインデックス簡易画像にまとめて記録しても便利である。
【００８１】
以上までの処理がインデックス再生モード処理であり、この処理をＣＰＵ１５が行なうことによって、インデックス簡易画像が作成されて記録される。
なお、このインデックス再生モード処理は、入力指示部１６の各種設定スイッチが操作され、インデックス再生モード以外の動作モードの動作指示のなされたこと、あるいはこの電子カメラの電源をオフとする指示のなされたことがＣＰＵ１５によって検出されると直ちに終了する。
【００８２】
［撮影モード処理］
次に図４について説明する。同図は撮影モード処理の処理内容を示すフローチャートである。
【００８３】
撮影モードとは撮影動作をこの電子カメラに行なわせるための動作モードである。この撮影モード処理をＣＰＵ１５が行なうことによって、電子カメラに撮影動作を行なわせて基本画像の記録を行なわせることに加え、電子カメラになされている設定に従い、撮影時に簡易画像の作成・記録をも行なわせる。このように、撮影時に簡易画像の作成を行なうようにすると、画像データの圧縮処理がなされているため元の撮像画像よりも画質が劣化している基本画像から作成されたものよりも良好な画質の簡易画像を作成することができる。
【００８４】
図４のフローチャートで示されている処理は、入力指示部１６の各種設定スイッチが操作されて撮影モードの動作指示のなされたことがＣＰＵ１５によって検出されると開始される。
【００８５】
まず、Ｓ３０１において、入力指示部１６の各種設定スイッチが操作されてこれより行なう撮影によって記録される基本画像についての画質の設定の変更の指示がなされたか否かが判定され、この判定結果がＹｅｓのときにのみ、Ｓ３０２において、その画質の設定がなされているＣＰＵ１５内の所定のレジスタの値が変更され、画質設定の変更が行なわれる。
【００８６】
この電子カメラに対して行なうことのできる、基本画像の画質の設定例を図５に示す。同図に示す例では、この電子カメラでは、記録される基本画像の画像サイズの設定に対して、それぞれ「標準」と「高画質」との２種類のうちのいずれかの画質を選択することができるように構成されており、この画質の選択は基本画像の記録の際に行なわれる画像データ圧縮における圧縮率の高低に対応している。なお、基本画像のファイル形式にはＪＰＥＧ形式が採用されている。
【００８７】
図４の説明へ戻る。
Ｓ３０３では、入力指示部１６のレリーススイッチが操作されて撮影の指示がなされたか否かが判定され、この判定結果がＹｅｓとなるまでＳ３０３の処理が繰り返される。
【００８８】
Ｓ３０４では、被写体像の撮影のためのＡＥ（Auto Exposure ：自動露出調整）及びＡＦ（Auto Focus：自動焦点調整）の制御処理が行なわれる。
Ｓ３０５では露光処理が行なわれ、撮像素子２から出力される被写体像を表現している電気信号を撮像処理部３で所定の処理をさせた後にＡ／Ｄ４で画像データに変換させる。更に続くＳ３０６において、Ａ／Ｄ４から出力された画像データをＤＲＡＭ５に記憶させる。
【００８９】
Ｓ３０７では、前ステップでＤＲＡＭ５に記憶させた画像データを画像処理部６に読み出させ、ガンマ補正やホワイトバランス補正などの画像記録のための補正処理や、前述した設定に従った画像のリサイズ及び画像データ圧縮の処理などといった、基本画像のための画像処理を行なわせる。
【００９０】
Ｓ３０８では、前ステップで処理された画像データ、すなわち基本画像を着脱記録媒体７に記録させる。
Ｓ３０９では、入力指示部１６の各種設定スイッチに対する操作によって、撮影時に簡易画像を作成して記録する指示がなされたか否かが判定され、この判定結果がＹｅｓならばＳ３１０に処理が進み、Ｎｏならばこの撮影モード処理が終了する。
【００９１】
Ｓ３１０では、Ｓ３０６の処理によってＤＲＡＭ５に記憶させた画像データを画像処理部６に読み出させ、続くＳ３１１において、ガンマ補正やホワイトバランス補正などといった画像表示のための補正処理や、所定の画像サイズへのリサイズ及び画像データ圧縮の処理などといった、簡易画像のための画像処理を画像処理部６に行なわせる。
【００９２】
Ｓ３１２では、前ステップで処理された画像データ、すなわち簡易画像をフラッシュメモリ１４の画像記録部１４−２に記録させ、その後はこの撮影モード処理が終了する。
【００９３】
なお、このＳ３１２における簡易画像の記録処理において、簡易画像と基本画像との対応関係を併せて記録するが、この手法は、前述した１コマ再生モード処理において説明した基本画像と簡易画像との対応関係を記録する手法と同様のものが利用できる。
【００９４】
以上までの処理が撮影モード処理であり、この処理をＣＰＵ１５が行なうことによって、簡易画像の作成・記録が撮影時に行なえるようになるので、基本画像からではない、被写体像の画像データからの簡易画像の作成・記録が可能となる。
［一括コピー処理］
次に図６について説明する。同図は一括コピー処理の処理内容を示すフローチャートである。
【００９５】
一括コピー処理とは、前述した１コマ再生モード処理やインデックス再生モード処理によってフラッシュメモリ１４の画像記録部１４−２に記録された全ての簡易画像（若しくはインデックス簡易画像）を一括して着脱記録媒体７の空き記録領域にコピー（複写）し、若しくは、このようにして着脱記録媒体７に記録された全ての簡易画像を一括してフラッシュメモリ１４の画像記録部１４−２の空き記録領域にコピーする処理である。
【００９６】
このように簡易画像を着脱記録媒体７に記録させることにより、簡易画像が他の機器でも利用できるようになり、簡易画像の利用性が向上する。また、簡易画像が記録媒体間で一括コピーするので、処理に要する時間が短縮される。
【００９７】
図６のフローチャートで示されている処理は割り込み処理としてＣＰＵ１５によって実行される処理であり、例えば前述した１コマ再生モード処理がＣＰＵ１５によって実行されている最中に、入力指示部１６の各種設定スイッチが操作されて一括コピーの動作指示のなされたことがＣＰＵ１５によって検出されると開始される。
【００９８】
まず、Ｓ４０１において、一括コピーの指示の内容が調べられ、この指示が簡易画像を着脱記録媒体７からフラッシュメモリ１４へ一括コピーするものであるか否かが判定される。そして、この判定結果がＹｅｓならばＳ４０２に処理が進む。一方、この判定結果がＮｏ、すなわち、この指示が簡易画像をフラッシュメモリ１４から着脱記録媒体７へ一括コピーするものであるならばＳ４０４に処理が進む。
【００９９】
Ｓ４０２では、着脱記録媒体７に記録されている全ての簡易画像を記録するための空き記録領域がフラッシュメモリ１４の画像記録部１４−２に残されているか否かが判定され、判定結果がＹｅｓならばＳ４０３に処理が進み、ＮｏならばＳ４０６に処理が進む。
【０１００】
Ｓ４０３では着脱記録媒体７に記録されている全ての簡易画像が読み出されてフラッシュメモリ１４の画像記録部１４−２の空き記録領域に全て記録される。なお、このとき着脱記録媒体７に記録されている簡易画像は消去されない。
【０１０１】
Ｓ４０３の処理を終えた後にはこの一括コピー処理が終了し、元の処理へと処理が戻る。
Ｓ４０４では、フラッシュメモリ１４の画像記録部１４−２に記録されている全ての簡易画像を記録するための空き記録領域が着脱記録媒体７に残されているか否かが判定され、判定結果がＹｅｓならばＳ４０３に処理が進み、ＮｏならばＳ４０６に処理が進む。
【０１０２】
Ｓ４０５ではフラッシュメモリ１４の画像記録部１４−２に記録されている全ての簡易画像が読み出されて着脱記録媒体７の空き記録領域に全て記録される。なお、このときフラッシュメモリ１４の画像記録部１４−２に記録されている簡易画像は消去されない。
【０１０３】
Ｓ４０５の処理を終えた後にはこの一括コピー処理が終了し、元の処理へと処理が戻る。
Ｓ４０６では、全ての簡易画像を記録するために必要な空き記録領域が残されていない旨を示す警告出力が行なわれる。なお、この警告出力としては、前述したものと同様、例えばその旨を示す表示をＬＣＤディスプレイ１３に行なわせる、あるいは不図示の発音部を動作させて警告音を発生させる、などの手法がある。
【０１０４】
Ｓ４０６の処理を終えた後にはこの一括コピー処理が終了し、元の処理へと処理が戻る。
以上までの処理が一括コピー処理であり、この処理をＣＰＵ１５が行なうことによって、簡易画像の一括コピーが行なわれる。
【０１０５】
なお、この一括コピー処理の内容を変形し、着脱記録媒体７の代わりとして、フラッシュメモリ１４の画像記録部１４−２に記録されている簡易画像を、ＵＳＢ端子１１に接続されているパーソナルコンピュータ２０に内蔵されているメモリ２０−１やデジタルカメラ３０などの機器に一括コピーさせるようにする、あるいはその逆に、これらの機器に記録されている簡易画像を、ＵＳＢ端子１１を介して取り込んでフラッシュメモリ１４の画像記録部１４−２に一括コピーさせるようにすることもできる。更に、この一括コピー処理の内容を変形し、これらのＵＳＢ端子１１に接続されている機器と着脱記録媒体７との間で相互に簡易画像の一括コピーを行なうようにすることもできる。
【０１０６】
［自動一括コピー処理］
次に図７について説明する。同図は自動一括コピー処理の処理内容を示すフローチャートである。
【０１０７】
この処理は、着脱記録媒体７に記録されている簡易画像を読み出してフラッシュメモリ１４の画像記録部１４−２に記録させる処理であるが、この電子カメラの電源がオンとされて電子カメラの各部への電力の供給が開始されたこと、または着脱記録媒体７がこの電子カメラに装着されたことがＣＰＵ１５によって検出されると、一括コピーの動作指示がなされなくても自動的に開始される点で、前述した一括コピー処理とは異なっている。
【０１０８】
まず、Ｓ５０１において、装着されている着脱記録媒体７の記録内容が調べられる。そして、続くＳ５０２において、着脱記録媒体７に簡易画像が記録されているか否かが判定され、この判定結果がＹｅｓならばＳ５０３に処理が進む。一方、Ｓ５０２の判定結果がＮｏならばこの自動一括コピー処理が終了し、ＣＰＵ１５は他の処理を開始する。
【０１０９】
なお、この電子カメラの電源がオンとされたことによってこの自動一括コピー処理が開始された場合に着脱記録媒体７が装着されていなかったときには、このＳ５０２の判定結果はＮｏとする。
【０１１０】
Ｓ５０３では、着脱記録媒体７に記録されている全ての簡易画像を記録するための空き記録領域がフラッシュメモリ１４の画像記録部１４−２に残されているか否かが判定され、判定結果がＹｅｓならばＳ５０４に処理が進み、ＮｏならばＳ５０５に処理が進む。
【０１１１】
Ｓ５０４では着脱記録媒体７に記録されている全ての簡易画像が読み出されてフラッシュメモリ１４の画像記録部１４−２の空き記録領域に全て記録される。なお、このとき着脱記録媒体７に記録されている簡易画像は消去されない。
【０１１２】
Ｓ５０４の処理を終えた後にはこの自動一括コピー処理が終了し、ＣＰＵ１５は他の処理を開始する。
Ｓ５０５では、全ての簡易画像を記録する空き記録領域がフラッシュメモリ１４の画像記録部１４−２に残されていない旨を示す警告出力が行なわれる。なお、この警告出力としては、前述したものと同様、例えばその旨を示す表示をＬＣＤディスプレイ１３に行なわせる、あるいは不図示の発音部を動作させて警告音を発生させる、などの手法がある。
【０１１３】
Ｓ５０５の処理を終えた後にはこの自動一括コピー処理が終了し、ＣＰＵ１５は他の処理を開始する。
以上までの処理が自動一括コピー処理であり、この処理をＣＰＵ１５が行なうことによって、それまで着脱記録媒体７に記録されていた簡易画像がフラッシュメモリ１４の画像記録部１４−２に格納される。こうすることによって、何らの指示を受けなくても自動的に簡易画像をフラッシュメモリ１４の画像記録部１４−２に一括コピーできるようになる。
【０１１４】
その他、本発明は、上述した実施形態に限定されることなく、種々の改良・変更が可能である。例えば、本発明は、カメラ機能を備えた携帯電話やＰＤＡ（Personal Digital Assistants ）端末（個人向け携帯型情報通信機器端末）等の機器で実施することも可能である。また、例えば着脱記録媒体を複数接続可能な電子カメラにおいて簡易画像を着脱記録媒体間で一括コピーするときに本発明を実施することも可能である。
【０１１５】
【発明の効果】
以上詳細に説明したように、本発明に係る電子カメラは、撮影画像に基づいて作成される簡易画像を第一の記録媒体に記録することに併せ、その第一の記録媒体に記録されている簡易画像を複写して第二の記録媒体に記録させるようにしたので、画像再生における利便性が向上すると共に簡易画像の利用性が向上するという効果を奏する。
【図面の簡単な説明】
【図１】本発明を実施する電子カメラの構成を示す図である。
【図２】１コマ再生モード処理の処理内容を示す図である。
【図３】インデックス再生モード処理の処理内容を示す図である。
【図４】撮影モード処理の処理内容を示すフローチャートである。
【図５】基本画像の画質の設定例を示す図である。
【図６】一括コピー処理の処理内容を示すフローチャートである。
【図７】自動一括コピー処理の処理内容を示すフローチャートである。
【符号の説明】
１  撮影レンズ部
２  撮像素子
３  撮像処理部
４  Ａ／Ｄ
５  ＤＲＡＭ
６  画像処理部
７  着脱記録媒体
８  ビデオドライバ
９  ビデオアウト端子
１０  ＵＳＢＩ／Ｆ
１１  ＵＳＢ端子
１２  ＬＣＤドライバ
１３  ＬＣＤディスプレイ
１４  フラッシュメモリ
１４−１  動作プログラム
１４−２  画像記録部
１４−２１  簡易画像記録部
１４−２２  補助記録部
１５  ＣＰＵ
１５−１  クロック部
１６  入力指示部
１７  撮影向き検出センサ
１８  バス
２０  パーソナルコンピュータ
２０−１  メモリ
３０  デジタルカメラ
【図１】
0004025525.tif 000002
【図２】
0004025525.tif 000003
【図３】
0004025525.tif 000004
【図４】
0004025525.tif 000005
【図５】
0004025525.tif 000006
【図６】
0004025525.tif 000007
【図７】
0004025525.tif 000008